【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
外部アクセスポイントを介さず外部端末と無線通信を行うためのアクセスポイントとして動作し、前記アクセスポイントに接続した端末装置と無線通信を行う情報処理装置であって、
前記アクセスポイントを経由する無線通信とは通信方式が異なる無線通信で前記端末装置の無線通信の情報を受信する受信手段と、
前記受信した無線通信の情報と、前記アクセスポイントに関する動作設定に基づき、前記情報処理装置を前記アクセスポイントとして動作させる際に使用すべき動作周波数帯と、外部装置に提供すべき動作周波数帯が一致するか否かを判断する判断手段と、
前記判断手段によって前記アクセスポイントとして動作させる際に使用すべき動作周波数帯と、外部装置に提供すべき動作周波数帯が一致すると判断された場合、前記アクセスポイントに接続するための接続情報を、前記アクセスポイントを経由する無線通信とは通信方式が異なる無線通信で前記端末装置に送信するよう制御する一方、前記判断手段によって前記アクセスポイントとして動作させる際に使用すべき動作周波数帯と、外部装置に提供すべき動作周波数帯が一致しないと判断された場合、前記接続情報を含まない情報を前記異なる無線通信で前記端末装置に送信するよう制御する送信手段と、
を有することを特徴とする情報処理装置。
【請求項２】
前記受信手段は、前記無線通信の情報と、前記情報処理装置が前記アクセスポイントとしての動作を停止している際に前記情報処理装置に前記アクセスポイントとしての動作を開始する制御を引き起こさせる情報を前記端末装置から受信することを特徴とする請求項１に記載の情報処理装置。
【請求項３】
前記端末装置の無線通信の情報は、前記端末装置が接続できるアクセスポイントの動作周波数帯を示す情報であり、
前記判断手段は、前記端末装置が接続できるアクセスポイントの動作周波数帯を示す情報に基づき外部装置に提供すべき動作周波数帯を特定し、当該特定した動作周波数帯と、前記アクセスポイントとして動作させる際に使用すべき動作周波数帯が一致するか否かを判定することを特徴とする請求項２に記載の情報処理装置。
【請求項４】
前記アクセスポイントに関する動作設定として前記アクセスポイントの動作周波数帯を自動決定する動作設定がなされている場合、前記判断手段は、前記情報処理装置を前記アクセスポイントとして動作させる際に使用すべき動作周波数帯と、外部装置に提供すべき動作周波数帯が一致すると判断することを特徴とする請求項３に記載の情報処理装置。
【請求項５】
前記前記受信手段によって前記端末装置から前記アクセスポイントとしての動作を開始する制御を引き起こさせる情報を受信した場合であって、前記アクセスポイントの動作周波数帯を自動決定する動作設定がなされている場合、前記判断手段によって特定された外部装置に提供すべき動作周波数帯のアクセスポイントとして前記情報処理装置を動作させる制御手段を更に有することを特徴とする請求項４に記載の情報処理装置。
【請求項６】
前記制御手段は、前記受信手段によって前記端末装置から前記アクセスポイントとしての動作を開始する制御を引き起こさせる情報を受信したときに、当該情報とともに前記端末装置の無線通信の情報を受信しなかった場合、前記アクセスポイントとして動作させる際に使用すべき動作周波数帯のアクセスポイントとして前記情報処理装置を動作させることを特徴とする請求項５に記載の情報処理装置。
【請求項７】
前記制御手段は、前記受信手段によって前記端末装置から前記アクセスポイントとしての動作を開始する制御を引き起こさせる情報を受信したときに、当該情報とともに前記端末装置の無線通信の情報を受信しなかった場合であって、且つ、前記アクセスポイントの動作周波数帯を自動決定する動作設定がなされている場合、複数の動作周波数帯のなかから動作周波数の高い動作周波数帯を選択し、当該選択した動作周波数帯のアクセスポイントとして前記情報処理装置を動作させることを特徴とする請求項６に記載の情報処理装置。
【請求項８】
前記判断手段によって前記アクセスポイントとして動作させる際に使用すべき動作周波数帯と、外部装置に提供すべき動作周波数帯が一致しないと判断された場合に、前記情報処理装置の操作部にエラーを表示する表示制御手段を更に有することを特徴とする請求項１乃至７のいずれか１項に記載の情報処理装置。
【請求項９】
前記接続情報を含まない情報はエラーを示す情報を含むことを特徴とする請求項１乃至８のいずれか１項に記載の情報処理装置。
【請求項１０】
前記情報処理装置は、印刷装置であることを特徴とする請求項１乃至９のいずれか１項記載の情報処理装置。
【請求項１１】
前記アクセスポイントを経由する無線通信とは通信方式が異なる無線通信は、Ｂｌｕｅｔｏｏｔｈ（登録商標）規格の通信方式に則る無線通信であることを特徴とする請求項１乃至１０のいずれか１項に記載の情報処理装置。
【請求項１２】
前記Ｂｌｕｅｔｏｏｔｈ規格の通信方式に則る無線通信は、Ｂｌｕｅｔｏｏｔｈ  Ｌｏｗ  Ｅｎｅｒｇｙ（登録商標）のＧＡＴＴ（Ｇｅｎｅｒｉｃ  Ａｔｔｉｒｉｂｕｔｅ  Ｐｒｏｆｉｌｅ）を用いた双方向通信であることを特徴とする請求項１１に記載の情報処理装置。
【請求項１３】
前記アクセスポイントを経由する無線通信とは通信方式が異なる無線通信は、ＮＦＣ（Ｎｅａｒ  Ｆｉｅｌｄ  Ｒａｄｉｏ  Ｃｏｍｍｕｎｉｃａｔｉｏｎ）を用いる双方向通信であることを特徴とする請求項１乃至１０のいずれか１項に記載の情報処理装置。
【請求項１４】
アクセスポイントに接続する端末装置であって、
前記アクセスポイントを経由する無線通信とは通信方式が異なる無線通信で前記アクセスポイントに前記端末装置が接続を希望するアクセスポイントの能力情報を含む要求を送信する送信手段と、
前記能力情報を含む要求の応答として、前記アクセスポイントから情報を受信する受信手段と、
前記受信した情報に成功を示す情報が含まれている場合、当該成功を示す情報とともに受信した前記アクセスポイントの接続情報に基づいて前記アクセスポイントに接続要求を送信するよう制御し、前記情報に成功を示す情報が含まれている場合、能力不一致により接続できなかったことを示す情報を前記端末装置のユーザに通知するよう制御する制御手段と、
を有することを特徴とする端末装置。
【請求項１５】
近距離無線通信インタフェースを更に有し、
前記送信手段及び前記受信手段は、前記近距離無線通信インタフェースを介した近距離無線通信で前記アクセスポイントと無線通信を行うことを特徴とする請求項１４に記載の端末装置。
【請求項１６】
アクセスポイントに接続する端末装置の制御方法であって、
前記アクセスポイントを経由する無線通信とは通信方式が異なる無線通信で前記アクセスポイントに前記端末装置が接続を希望するアクセスポイントの能力情報を含む要求を送信する送信制御工程と、
前記能力情報を含む要求の応答として、前記アクセスポイントから情報を受信する受信制御工程と、
前記受信した情報に成功を示す情報が含まれている場合、当該成功を示す情報とともに受信した前記アクセスポイントの接続情報に基づいて前記アクセスポイントに接続要求を送信するよう制御し、前記受信した情報に成功を示す情報が含まれている場合、能力不一致により接続できなかったことを示す情報を前記端末装置のユーザに通知するよう制御する接続制御工程と、
を有することを特徴とする制御方法。
【請求項１７】
外部アクセスポイントを介さず外部端末と無線通信を行うためのアクセスポイントとして動作し、前記アクセスポイントに接続した端末装置と無線通信を行う情報処理装置の制御方法であって、
前記アクセスポイントを経由する無線通信とは通信方式が異なる無線通信で前記端末装置の無線通信の情報を受信する受信制御工程と、
前記受信した無線通信の情報と、前記アクセスポイントに関する動作設定に基づき、前記情報処理装置を前記アクセスポイントとして動作させる際に使用すべき動作周波数帯と、外部装置に提供すべき動作周波数帯が一致するか否かを判断する判断工程と、
前記判断工程で前記アクセスポイントとして動作させる際に使用すべき動作周波数帯と、外部装置に提供すべき動作周波数帯が一致すると判断された場合、前記アクセスポイントに接続するための接続情報を、前記アクセスポイントを経由する無線通信とは通信方式が異なる無線通信で前記端末装置に送信するよう制御する一方、前記判断工程で前記アクセスポイントとして動作させる際に使用すべき動作周波数帯と、外部装置に提供すべき動作周波数帯が一致しないと判断された場合、前記接続情報を含まない情報を前記異なる無線通信で前記端末装置に送信するよう制御する送信制御工程と、
を有することを特徴とする制御方法。
【請求項１８】
コンピュータを、請求項１乃至１３のいずれか１項に記載の情報処理装置の各手段として機能させるためのプログラム。
【請求項１９】
コンピュータを、請求項１４又は１５に記載の端末装置の各手段として機能させるためのプログラム。
【手続補正２】
【補正対象書類名】明細書
【補正対象項目名】発明の名称
【補正方法】変更
【補正の内容】
【発明の名称】情報処理装置、端末装置、制御方法及びプログラム
【手続補正３】
【補正対象書類名】明細書
【補正対象項目名】０００１
【補正方法】変更
【補正の内容】
【０００１】
本発明は、情報処理装置、端末装置、制御方法及びプログラムに関する。
【手続補正４】
【補正対象書類名】明細書
【補正対象項目名】０００５
【補正方法】変更
【補正の内容】
【０００５】
本発明は、外部アクセスポイントを介さず外部端末と無線通信を行うためのアクセスポイントとして動作し、前記アクセスポイントに接続した端末装置と無線通信を行う情報処理装置であって、前記アクセスポイントを経由する無線通信とは通信方式が異なる無線通信で前記端末装置の無線通信の情報を受信する受信手段と、前記受信した無線通信の情報と、前記アクセスポイントに関する動作設定に基づき、前記情報処理装置を前記アクセスポイントとして動作させる際に使用すべき動作周波数帯と、外部装置に提供すべき動作周波数帯が一致するか否かを判断する判断手段と、前記判断手段によって前記アクセスポイントとして動作させる際に使用すべき動作周波数帯と、外部装置に提供すべき動作周波数帯が一致すると判断された場合、前記アクセスポイントに接続するための接続情報を、前記アクセスポイントを経由する無線通信とは通信方式が異なる無線通信で前記端末装置に送信するよう制御する一方、前記判断手段によって前記アクセスポイントとして動作させる際に使用すべき動作周波数帯と、外部装置に提供すべき動作周波数帯が一致しないと判断された場合、前記接続情報を含まない情報を前記異なる無線通信で前記端末装置に送信するよう制御する送信手段と、を有することを特徴とする。